(57)【特許請求の範囲】
【請求項１】
遅延およびランダム・アクセス負荷を最小化することを容易にする無線通信システムにおいて使用される方法であって、
システム情報ブロックにアクセスすることと、
前記アクセスしたシステム情報ブロックに基づいて、利用可能なランダム・アクセス・リソース数を特定することと、
前記利用可能な多くのランダム・アクセス・リソースのうちの少なくとも１つを利用することと、
前記利用可能な多くのランダム・アクセス・リソースのうちの少なくとも１つを均一に選択すること、
第１の物理ランダム・アクセス・チャンネル（ＰＲＡＣＨ）設定と、第２の物理ランダム・アクセス・チャンネル（ＰＲＡＣＨ）設定との間で時間シフトを実施することと
を備え、
前記第１の物理ランダム・アクセス・チャンネル（ＰＲＡＣＨ）設定は、ユーザ機器に関連し、前記第２のＰＲＡＣＨ設定は、別のユーザ機器に関連する方法。
【請求項２】
前記利用可能な多くのランダム・アクセス・リソースのうちの少なくとも１つを、１または複数のユーザ機器（ＵＥ）へ均一に割り当てることをさらに備える請求項１に記載の方法。
【請求項３】
前記利用可能な多くのランダム・アクセス・リソースのうちの少なくとも１つをランダムに選択することをさらに備える請求項１に記載の方法。
【請求項４】
前記利用可能な多くのランダム・アクセス・リソースのうちの少なくとも１つを、１または複数のユーザ機器にランダムに割り当てることをさらに備える請求項１に記載の方法。
【請求項５】
前記利用可能なランダム・アクセス・リソース数を、デフォルト値として特定することをさらに備える請求項１に記載の方法。
【請求項６】
前記デフォルト値は、ゼロ（０）よりも大きな正の整数である請求項５に記載の方法。
【請求項７】
前記ユーザ機器に関連する遅延量と、前記利用可能な多くのランダム・アクセス・リソースのうちの少なくとも１つとを通信することをさらに備える請求項１に記載の方法。
【請求項８】
ネットワークまたは基地局のうちの少なくとも１つからのランダムな割当に基づいて、前記利用可能な多くのランダム・アクセス・リソースのうちの少なくとも１つを利用することをさらに備える請求項１に記載の方法。
【請求項９】
ネットワークまたは基地局のうちの少なくとも１つからのランダムな選択に基づいて、前記利用可能な多くのランダム・アクセス・リソースのうちの少なくとも１つを利用することをさらに備える請求項１に記載の方法。
【請求項１０】
ネットワークまたは基地局のうちの少なくとも１つからの均一な割当に基づいて、前記利用可能な多くのランダム・アクセス・リソースのうちの少なくとも１つを利用することをさらに備える請求項１に記載の方法。
【請求項１１】
ネットワークまたは基地局のうちの少なくとも１つからの均一な選択に基づいて、前記利用可能な多くのランダム・アクセス・リソースのうちの少なくとも１つを利用することをさらに備える請求項１に記載の方法。
【請求項１２】
無線通信装置であって、
システム情報ブロックにアクセスし、前記アクセスしたシステム情報ブロックに基づいて、利用可能なランダム・アクセス・リソース数を特定し、前記利用可能な多くのランダム・アクセス・リソースのうちの少なくとも１つを利用し、前記利用可能な多くのランダム・アクセス・リソースのうちの少なくとも１つを均一に選択し、第１の物理ランダム・アクセス・チャンネル（ＰＲＡＣＨ）設定と、第２の物理ランダム・アクセス・チャンネル（ＰＲＡＣＨ）設定との間で時間シフトを実施するように構成された少なくとも１つのプロセッサと、
前記少なくとも１つのプロセッサに接続されたメモリと
を備え、
前記第１の物理ランダム・アクセス・チャンネル（ＰＲＡＣＨ）設定は、ユーザ機器に関連し、前記第２のＰＲＡＣＨ設定は、別のユーザ機器に関連する無線通信装置。
【請求項１３】
前記利用可能な多くのランダム・アクセス・リソースのうちの少なくとも１つを、１または複数のユーザ機器（ＵＥ）へ均一に割り当てるように構成された少なくとも１つのプロセッサをさらに備える請求項１２に記載の無線通信装置。
【請求項１４】
前記利用可能な多くのランダム・アクセス・リソースのうちの少なくとも１つを、１または複数のユーザ機器にランダムに割り当てるように構成された少なくとも１つのプロセッサをさらに備える請求項１２に記載の無線通信装置。
【請求項１５】
前記利用可能な多くのランダム・アクセス・リソースのうちの少なくとも１つをランダムに選択するように構成された少なくとも１つのプロセッサをさらに備える請求項１２に記載の無線通信装置。
【請求項１６】
前記利用可能なランダム・アクセス・リソース数を、デフォルト値として特定するように構成された少なくとも１つのプロセッサをさらに備える請求項１２に記載の無線通信装置。
【請求項１７】
前記デフォルト値は、ゼロ（０）よりも大きな正の整数である請求項１６に記載の無線通信装置。
【請求項１８】
前記ユーザ機器に関連する遅延量と、前記利用可能な多くのランダム・アクセス・リソースのうちの少なくとも１つとを通信するように構成された少なくとも１つのプロセッサをさらに備える請求項１２に記載の無線通信装置。
【請求項１９】
ネットワークまたは基地局のうちの少なくとも１つからのランダムな割当に基づいて、前記利用可能な多くのランダム・アクセス・リソースのうちの少なくとも１つを利用するように構成された少なくとも１つのプロセッサをさらに備える請求項１２に記載の無線通信装置。
【請求項２０】
前記利用可能なランダム・アクセス・リソースからのランダムな選択に基づいて、前記利用可能な多くのランダム・アクセス・リソースのうちの少なくとも１つを利用するように構成された少なくとも１つのプロセッサをさらに備える請求項１２に記載の無線通信装置。
【請求項２１】
ネットワークまたは基地局のうちの少なくとも１つからの均一な割当に基づいて、前記利用可能な多くのランダム・アクセス・リソースのうちの少なくとも１つを利用するように構成された少なくとも１つのプロセッサをさらに備える請求項１２に記載の無線通信装置。
【請求項２２】
前記利用可能なランダム・アクセス・リソースからの均一な選択に基づいて、前記利用可能な多くのランダム・アクセス・リソースのうちの少なくとも１つを利用するように構成された少なくとも１つのプロセッサをさらに備える請求項１２に記載の無線通信装置。
【請求項２３】
無線環境内における遅延およびランダム・アクセス負荷を最小化する無線通信装置であって、
システム情報ブロックにアクセスする手段と、
前記アクセスしたシステム情報ブロックに基づいて、利用可能なランダム・アクセス・リソース数を特定する手段と、
前記利用可能な多くのランダム・アクセス・リソースのうちの少なくとも１つを利用する手段と、
前記利用可能な多くのランダム・アクセス・リソースのうちの少なくとも１つを均一に選択する手段と、
第１の物理ランダム・アクセス・チャンネル（ＰＲＡＣＨ）設定と、第２の物理ランダム・アクセス・チャンネル（ＰＲＡＣＨ）設定との間で時間シフトを実施する手段と
を備え、
前記第１の物理ランダム・アクセス・チャンネル（ＰＲＡＣＨ）設定は、ユーザ機器に関連し、前記第２のＰＲＡＣＨ設定は、別のユーザ機器に関連する無線通信装置。
【請求項２４】
前記利用可能な多くのランダム・アクセス・リソースのうちの少なくとも１つを、複数のユーザ機器（ＵＥ）に均一に割り当てる手段をさらに備える請求項２３に記載の無線通信装置。
【請求項２５】
前記利用可能な多くのランダム・アクセス・リソースのうちの少なくとも１つを、複数のユーザ機器（ＵＥ）へランダムに割り当てることをさらに備える請求項２３に記載の無線通信装置。
【請求項２６】
前記利用可能な多くのランダム・アクセス・リソースのうちの少なくとも１つを、ランダムに選択することをさらに備える請求項２３に記載の無線通信装置。
【請求項２７】
前記利用可能なランダム・アクセス・リソース数を、デフォルト値として特定することをさらに備える請求項２３に記載の無線通信装置。
【請求項２８】
前記デフォルト値は、ゼロ（０）よりも大きな正の整数である請求項２７に記載の無線通信装置。
【請求項２９】
前記ユーザ機器に関連する遅延量と、前記利用可能な多くのランダム・アクセス・リソースのうちの少なくとも１つとを通信することをさらに備える請求項２３に記載の無線通信装置。
【請求項３０】
ネットワークまたは基地局のうちの少なくとも１つからのランダムな割当に基づいて、前記利用可能な多くのランダム・アクセス・リソースのうちの少なくとも１つを利用することをさらに備える請求項２３に記載の無線通信装置。
【請求項３１】
前記利用可能なランダム・アクセス・リソースからのランダムな選択に基づいて、前記利用可能な多くのランダム・アクセス・リソースのうちの少なくとも１つを利用することをさらに備える請求項２３に記載の無線通信装置。
【請求項３２】
ネットワークまたは基地局のうちの少なくとも１つからの均一な割当に基づいて、前記利用可能な多くのランダム・アクセス・リソースのうちの少なくとも１つを利用することをさらに備える請求項２３に記載の無線通信装置。
【請求項３３】
前記利用可能なランダム・アクセス・リソースからの均一な選択に基づいて、前記利用可能な多くのランダム・アクセス・リソースのうちの少なくとも１つを利用することをさらに備える請求項２３に記載の無線通信装置。
【請求項３４】
コンピュータ読取可能な記憶媒体であって、
少なくとも１つのコンピュータに対して、システム情報ブロックにアクセスさせるためのコードと、
少なくとも１つのコンピュータに対して、前記アクセスしたシステム情報ブロックに基づいて、利用可能なランダム・アクセス・リソース数を特定させるためのコードと、
少なくとも１つのコンピュータに対して、前記利用可能な多くのランダム・アクセス・リソースのうちの少なくとも１つを利用させるためのコードと、
少なくとも１つのコンピュータに対して、前記利用可能な多くのランダム・アクセス・リソースのうちの少なくとも１つを均一に選択させるためのコードと、
少なくとも１つのコンピュータに対して、第１の物理ランダム・アクセス・チャンネル（ＰＲＡＣＨ）設定と、第２の物理ランダム・アクセス・チャンネル（ＰＲＡＣＨ）設定との間で時間シフトを実施させるためのコードと
を記憶し、
前記第１の物理ランダム・アクセス・チャンネル（ＰＲＡＣＨ）設定は、ユーザ機器に関連し、前記第２のＰＲＡＣＨ設定は、別のユーザ機器に関連するコンピュータ読取可能な記憶媒体。
【請求項３５】
少なくとも１つのコンピュータに対して、前記利用可能な多くのランダム・アクセス・リソースのうちの少なくとも１つを、複数のユーザ機器（ＵＥ）へ均一に割り当てさせるためのコードをさらに記憶した請求項３４に記載のコンピュータ読取可能な記憶媒体。
【請求項３６】
少なくとも１つのコンピュータに対して、前記利用可能な多くのランダム・アクセス・リソースのうちの少なくとも１つを、複数のユーザ機器にランダムに割り当てさせるためのコードをさらに記憶した請求項３４に記載のコンピュータ読取可能な記憶媒体。
【請求項３７】
少なくとも１つのコンピュータに対して、
前記利用可能な多くのランダム・アクセス・リソースのうちの少なくとも１つをランダムに選択させるためのコードをさらに記憶した請求項３４に記載のコンピュータ読取可能な記憶媒体。
【請求項３８】
少なくとも１つのコンピュータに対して、
前記ユーザ機器に関連する遅延量と、前記利用可能な多くのランダム・アクセス・リソースのうちの少なくとも１つとを通信させるためのコードをさらに記憶した請求項３４に記載のコンピュータ読取可能な記憶媒体。
【請求項３９】
ランダム・アクセス・リソースを管理することを容易にする無線通信システムで使用される方法であって、
基地局のために、利用可能なランダム・アクセス・リソース数を設定することと、
システム情報ブロック内で前記利用可能なランダム・アクセス・リソース数を定義することと、
ユーザ機器（ＵＥ）が、前記システム情報ブロックにアクセスし、前記利用可能なランダム・アクセス・リソース数を特定できるようにすることと、
前記利用可能な多くのランダム・アクセス・リソースのうちの少なくとも１つを均一に選択することと、
第１の物理ランダム・アクセス・チャンネル（ＰＲＡＣＨ）設定と、第２の物理ランダム・アクセス・チャンネル（ＰＲＡＣＨ）設定との間で時間シフトを実施することと、
を備え、
前記第１の物理ランダム・アクセス・チャンネル（ＰＲＡＣＨ）設定は、前記ユーザ機器に関連し、前記第２のＰＲＡＣＨ設定は、別のユーザ機器に関連する方法。
【請求項４０】
前記利用可能なランダム・アクセス・リソース数を、デフォルト値として設定することをさらに備える請求項３９に記載の方法。
【請求項４１】
前記デフォルト値は、ゼロ（０）よりも大きな正の整数である請求項４０に記載の方法。
【請求項４２】
前記基地局に関連付けられた負荷に基づいて、前記利用可能なランダム・アクセス・リソース数を設定することをさらに備え、
前記負荷は、前記基地局におけるユーザ機器の量に関連する請求項３９に記載の方法。
【請求項４３】
前記基地局およびユーザ機器に関連付けられた遅延に基づいて、前記利用可能なランダム・アクセス・リソース数を調節することをさらに備える請求項３９に記載の方法。
【請求項４４】
前記遅延を増加させる、前記利用可能なランダム・アクセス・リソース数を増加させることをさらに備える請求項４３に記載の方法。
【請求項４５】
前記遅延を減少させる、前記利用可能なランダム・アクセス・リソース数を減少させることをさらに備える請求項４３に記載の方法。
【請求項４６】
定義された遅延量を維持するために、増加または減少のうちの少なくとも１つによって、前記利用可能なランダム・アクセス・リソース数を管理することをさらに備える請求項４３に記載の方法。
【請求項４７】
前記基地局の負荷に関連する履歴データの一部に基づいて、前記利用可能なランダム・アクセス・リソース数を設定することをさらに備える請求項３９に記載の方法。
【請求項４８】
前記履歴データの一部は、設定された期間において前記基地局を利用しているユーザ機器の数に関連する請求項４７に記載の方法。
【請求項４９】
無線通信装置であって、
基地局のために、利用可能なランダム・アクセス・リソース数を設定し、システム情報ブロック内で前記利用可能なランダム・アクセス・リソース数を定義し、ユーザ機器（ＵＥ）が、前記システム情報ブロックにアクセスし、前記利用可能なランダム・アクセス・リソース数を特定可能とし、前記利用可能な多くのランダム・アクセス・リソースのうちの少なくとも１つを均一に選択し、第１の物理ランダム・アクセス・チャンネル（ＰＲＡＣＨ）設定と、第２の物理ランダム・アクセス・チャンネル（ＰＲＡＣＨ）設定との間で時間シフトを実施するように構成された少なくとも１つのプロセッサと、
前記少なくとも１つのプロセッサに接続されたメモリと
を備え、
前記第１の物理ランダム・アクセス・チャンネル（ＰＲＡＣＨ）設定は、前記ユーザ機器に関連し、前記第２のＰＲＡＣＨ設定は、別のユーザ機器に関連する無線通信装置。
【請求項５０】
前記基地局に関連付けられた負荷に基づいて、前記利用可能なランダム・アクセス・リソース数を設定するように構成された少なくとも１つのプロセッサをさらに備え、
前記負荷は、前記基地局におけるユーザ機器の量に関連する請求項４９に記載の無線通信装置。
【請求項５１】
前記基地局およびユーザ機器に関連付けられた遅延に基づいて、前記利用可能なランダム・アクセス・リソース数を調節するように構成された少なくとも１つのプロセッサをさらに備える請求項４９に記載の無線通信装置。
【請求項５２】
無線通信環境内のランダム・アクセス・リソースを管理する無線通信装置であって、
基地局のために、利用可能なランダム・アクセス・リソース数を設定する手段と、
システム情報ブロック内の利用可能なランダム・アクセス・リソース数を定義する手段と、
ユーザ機器（ＵＥ）が、前記システム情報ブロックにアクセスし、前記利用可能なランダム・アクセス・リソース数を特定可能とする手段と、
前記利用可能な多くのランダム・アクセス・リソースのうちの少なくとも１つを均一に選択する手段と、
第１の物理ランダム・アクセス・チャンネル（ＰＲＡＣＨ）設定と、第２の物理ランダム・アクセス・チャンネル（ＰＲＡＣＨ）設定との間で時間シフトを実施する手段と
を備ええ、
前記第１の物理ランダム・アクセス・チャンネル（ＰＲＡＣＨ）設定は、前記ユーザ機器に関連し、前記第２のＰＲＡＣＨ設定は、別のユーザ機器に関連する無線通信装置。
【請求項５３】
前記利用可能なランダム・アクセス・リソース数を、デフォルト値として設定する手段をさらに備える請求項５２に記載の無線通信装置。
【請求項５４】
前記基地局に関連付けられた負荷に基づいて、前記利用可能なランダム・アクセス・リソース数を設定する手段をさらに備え、
前記負荷は、前記基地局におけるユーザ機器の量に関連する請求項５２に記載の無線通信装置。
【請求項５５】
前記基地局およびユーザ機器に関連付けられた遅延に基づいて、前記利用可能なランダム・アクセス・リソース数を調節する手段をさらに備える請求項５２に記載の無線通信装置。
【請求項５６】
前記遅延を増加させる利用可能なランダム・アクセス・リソース数を増加させる手段をさらに備える請求項５５に記載の無線通信装置。
【請求項５７】
前記遅延を減少させる利用可能なランダム・アクセス・リソース数を減少させる手段をさらに備える請求項５５に記載の無線通信装置。
【請求項５８】
定義された遅延量を維持するために、増加または減少のうちの少なくとも１つによって、前記利用可能なランダム・アクセス・リソース数を管理する手段をさらに備える請求項５５に記載の無線通信装置。
【請求項５９】
前記基地局の負荷に関連する履歴データの一部に基づいて、前記利用可能なランダム・アクセス・リソース数を設定する手段をさらに備える請求項５２に記載の無線通信装置。
【請求項６０】
コンピュータ読取可能な記憶媒体であって、
少なくとも１つのコンピュータに対して、基地局のために、利用可能なランダム・アクセス・リソース数を設定させるためのコードと、
少なくとも１つのコンピュータに対して、システム情報ブロック内の前記利用可能なランダム・アクセス・リソース数を定義させるためのコードと、
少なくとも１つのコンピュータに対して、ユーザ機器（ＵＥ）が、前記システム情報ブロックにアクセスし、前記利用可能なランダム・アクセス・リソース数を特定可能とするためのコードと、
少なくとも１つのコンピュータに対して、前記利用可能な多くのランダム・アクセス・リソースのうちの少なくとも１つを均一に選択させるためのコードと、
少なくとも１つのコンピュータに対して、第１の物理ランダム・アクセス・チャンネル（ＰＲＡＣＨ）設定と、第２の物理ランダム・アクセス・チャンネル（ＰＲＡＣＨ）設定との間で時間シフトを実施させるためのコードと
を記憶し、
前記第１の物理ランダム・アクセス・チャンネル（ＰＲＡＣＨ）設定は、前記ユーザ機器に関連し、前記第２のＰＲＡＣＨ設定は、別のユーザ機器に関連するコンピュータ読取可能な記憶媒体。
【請求項６１】
少なくとも１つのコンピュータに対して、前記基地局に関連付けられた負荷に基づいて、前記利用可能なランダム・アクセス・リソース数を設定させるためのコードをさらに記憶し、
前記負荷は、前記基地局におけるユーザ機器の量に関連する請求項６０に記載のコンピュータ読取可能な記憶媒体。
【請求項６２】
少なくとも１つのコンピュータに対して、前記基地局およびユーザ機器に関連付けられた遅延に基づいて、前記利用可能なランダム・アクセス・リソース数を調節させるためのコードをさらに記憶した請求項６０に記載のコンピュータ読取可能な記憶媒体。
【発明の詳細な説明】
【関連出願に対する相互参照】
【０００１】
本願は、２００８年９月２９日に出願され“ＰＨＹＳＩＣＡＬ  ＲＡＮＤＯＭ  ＡＣＣＥＳＳ  ＣＨＡＮＮＥＬ  ＲＥＳＯＵＲＣＥ  ＳＥＬＥＣＴＩＯＮ”と題された米国仮特許出願６１／１００，９２２号の利益を主張する。上記出願の全体は、参照によって本明細書に組み込まれる。
【技術分野】
【０００２】
以下の記載は、一般に無線通信に関し、さらに詳しくは、ランダム・アクセス・リソースの特定に関する。
【背景技術】
【０００３】
無線通信システムはさまざまなタイプの通信を提供するために広く開発され、例えば、音声および／またはデータが、そのような無線通信システムによって提供されうる。一般的な無線通信システムすなわちネットワークは、複数のユーザへ、１または複数の共有リソース（例えば、帯域幅、送信電力）に対するアクセスを提供しうる。例えば、システムは、周波数分割多重化（ＦＤＭ）、時分割多重化（ＴＤＭ）、符号分割多重化（ＣＤＭ）、直交周波数分割多重化（ＯＦＤＭ）のような様々な多元接続技術を使用することができる。
【０００４】
通常、無線多元接続通信システムは、複数のモバイル・デバイスのための通信を同時にサポートすることができる。おのおののモバイル・デバイスは、順方向リンクおよび逆方向リンクによる送信を介して、１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。
【０００５】
無線通信システムはしばしば、有効範囲領域を提供する１または複数の基地局を使用する。一般的な基地局は、ブロードキャスト・サービス、マルチキャスト・サービス、および／またはユニキャスト・サービスのために複数のデータ・ストリームを送信することができる。これらデータ・ストリームは、モバイル・デバイスに対して興味のある独立した受信からなるデータのストリームでありうる。そのような基地局の有効範囲領域内のモバイル・デバイスは、合成ストリームによって搬送された１つ、複数、あるいはすべてのデータ・ストリームを受信するために使用されうる。同様に、モバイル・デバイスは、基地局あるいは別のモバイルのデバイスへデータを送信しうる。
【０００６】
無線通信システム内のエリア・トラッキングによって、ユーザ機器（例えば、モバイル・デバイス、モバイル通信装置、セルラ・デバイス、スマート・フォン等）のトラッキング・エリア・ロケーションを定義できるようになる。一般に、ネットワークは、ユーザ機器（ＵＥ）がそのようなトラッキング・エリア位置を用いて応答するＵＥに対して要求またはページしうる。これによって、ＵＥのトラッキング・エリア位置が、ネットワークへ通信され、さらに更新されるようになる。
【０００７】
複数キャリア無線環境内では、このようなヘテロジニアスなネットワーク内にある多数のアップリンク・キャリアおよび／またはダウンリンク・キャリアが存在する。アクセス手順は、ユーザ機器（ＵＥ）が、Ｃ−ＲＮＴＩを取得することと、アップリンク（ＵＬ）同期を確立することと、物理チャネル設定を受信することと、および／または、ＲＲＣ接続モードのための情報を取得することとを含む。さらに、物理ランダム・アクセス・チャンネル（ＰＲＡＣＨ）処理は、アップリンク・キャリアによって基地局へＰＲＡＣＨメッセージを送信するユーザ機器（ＵＥ）を含む。ここで、基地局は、ダウンリンク・キャリアによって応答する。
【発明の概要】
【０００８】
以下は、１または複数の実施形態の基本的な理解を提供するために、そのような実施形態の簡単な概略を示す。この概要は、考えられるすべての実施形態の広範囲な概観ではなく、すべての実施形態の重要要素や決定的要素を特定することも、何れかまたはすべての実施形態のスコープを線引きすることも意図されていない。その唯一の目的は、後に示されるより詳細な記載に対する前置きとして、簡略化された形式で１または複数の実施形態のいくつかの概念を表すことである。
【０００９】
関連する態様によれば、遅延およびランダム・アクセス負荷を最小化することを容易にする方法。この方法は、システム情報ブロックにアクセスすることを含みうる。さらに、この方法は、アクセスしたシステム情報ブロックに基づいて、利用可能なランダム・アクセス・リソース数を特定することを含みうる。それに加えて、この方法は、利用可能な多くのランダム・アクセス・リソースのうちの少なくとも１つを利用することを備えうる。
【００１０】
別の態様は、無線通信装置に関する。この無線通信装置は、システム情報ブロックにアクセスし、アクセスしたシステム情報ブロックに基づいて、利用可能なランダム・アクセス・リソース数を特定し、利用可能な多くのランダム・アクセス・リソースのうちの少なくとも１つを利用するように構成された少なくとも１つのプロセッサを含みうる。さらに、この無線通信装置は、少なくとも１つのプロセッサに接続されたメモリを含みうる。
【００１１】
さらに別の態様は、無線環境内における遅延およびランダム・アクセス負荷を最小化する無線通信装置に関する。この無線通信装置は、システム情報ブロックにアクセスする手段を含みうる。それに加えて、この無線通信装置は、アクセスしたシステム情報ブロックに基づいて、利用可能なランダム・アクセス・リソース数を特定する手段を備えうる。さらに、この無線通信装置は、利用可能な多くのランダム・アクセス・リソースのうちの少なくとも１つを利用することを備えうる。
【００１２】
また別の態様は、少なくとも１つのコンピュータに対して、システム情報ブロックにアクセスさせ、アクセスしたシステム情報ブロックに基づいて、利用可能なランダム・アクセス・リソース数を特定させ、利用可能な多くのランダム・アクセス・リソースのうちの少なくとも１つを利用させるための、格納されたコードを有するコンピュータ読取可能媒体を備えるコンピュータ・プログラム製品に関する。
【００１３】
他の態様によれば、ランダム・アクセス・リソースを管理することを容易にする方法。この方法は、基地局のために、利用可能なランダム・アクセス・リソース数を設定することを備えうる。さらに、この方法は、システム情報ブロック内で利用可能なランダム・アクセス・リソース数を定義することを備えうる。さらに、この方法は、ユーザ機器（ＵＥ）が、システム情報ブロックにアクセスし、利用可能なランダム・アクセス・リソース数を特定できるようにすることを含みうる。
【００１４】
別の態様は、無線通信装置に関する。この無線通信装置は、基地局のために、利用可能なランダム・アクセス・リソース数を設定し、システム情報ブロック内で利用可能なランダム・アクセス・リソース数を定義し、ユーザ機器（ＵＥ）が、システム情報ブロックにアクセスし、利用可能なランダム・アクセス・リソース数を特定できるようにするように構成された少なくとも１つのプロセッサを含みうる。さらに、この無線通信装置は、少なくとも１つのプロセッサに接続されたメモリを含みうる。
【００１５】
別の態様は、無線通信環境内のランダム・アクセス・リソースを管理する無線通信装置に関する。この無線通信装置は、基地局のために、利用可能なランダム・アクセス・リソース数を設定する手段を備えうる。それに加えて、この無線通信装置は、システム情報ブロック内の利用可能なランダム・アクセス・リソース数を定義する手段を備えうる。さらに、この無線通信装置は、ユーザ機器（ＵＥ）が、システム情報ブロックにアクセスし、利用可能なランダム・アクセス・リソース数を特定できるようにする手段を含みうる。
【００１６】
さらに別の態様は、少なくとも１つのコンピュータに対して、基地局のために、利用可能なランダム・アクセス・リソース数を設定させ、システム情報ブロック内の利用可能なランダム・アクセス・リソース数を定義させ、ユーザ機器（ＵＥ）が、システム情報ブロックにアクセスし、利用可能なランダム・アクセス・リソース数を特定できるようにさせるための、格納されたコードを有するコンピュータ読取可能媒体を備えるコンピュータ・プログラム製品に関する。
【００１７】
前述した目的および関連する目的を達成するために、１または複数の実施形態は、以下に十分説明され、特に特許請求の範囲で指摘される特徴を備える。次の記載および添付図面は、１または複数の実施形態のある実例となる態様を詳細に記載する。しかしながら、これらの態様は、さまざまな実施形態の原理が適用されるさまざまな方法のうちの僅かしか示しておらず、記載された実施形態は、そのようなすべての局面およびそれらの均等物を示すことが意図されている。
【図面の簡単な説明】
【００１８】
【図１】図１は、本明細書に記載されたさまざまな態様にしたがう無線通信システムの例示である。
【図２】図２は、無線通信環境において適用される通信装置の例示である。
【図３】図３は、遅延およびランダム・アクセス負荷を最小化するために、ランダム・アクセス・リソースの割当を管理することを容易にする無線通信システムの例示である。
【図４】図４は、第１の物理ランダム・アクセス・チャネル（ＰＲＡＣＨ）設定と第２のＰＲＡＣＨ設定との間の時間シフトの実施を容易にするシステムの例示である。
【図５】図５は、無線環境内のランダム・アクセス負荷および遅延を最小化することを容易にする方法の例示である。
【図６】図６は、無線通信環境内のランダム・アクセス・リソース割当を管理することを容易にする方法の例示である。
【図７】図７は、無線通信システムにおいてランダム・アクセス・リソース割当を適用することを容易にするモバイル・デバイスの例示である。
【図８】図８は、無線通信環境においてランダム・アクセス・リソース割当を管理することを容易にするシステムの例示である。
【図９】図９は、本明細書に記載されたさまざまなシステムおよび方法と共に適用されうる無線ネットワーク環境の例示である。
【図１０】図１０は、ユーザ機器にランダム・アクセス・リソースを割り当てることを容易にするシステムの例示である。
【図１１】図１１は、無線通信環境において無線通信環境内のランダム・アクセス・リソース割当を管理するシステムの例示である。
【発明を実施するための形態】
【００１９】
さまざまな実施形態が、全体を通じて同一要素を示すために同一の参照番号が使用される図面を参照して説明される。次の記述では、説明の目的のために、多数の特定の詳細が、１または複数の実施形態についての完全な理解を提供するために記述される。しかしながら、そのような実施形態は、これら具体的な詳細なしで実現されうることが明白でありうる。他の事例では、１または複数の実施形態の記載を容易にするために、周知の構成およびデバイスがブロック図形式で示される。
【００２０】
本願で使用されるような用語「モジュール」、「キャリア」、「システム」等は、ハードウェア、ファームウェア、ハードウェアとソフトウェアとの組み合わせ、ソフトウェア、または実行中のソフトウェアの何れかであるコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
【００２１】
本明細書に記述された技術は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、およびその他のシステムのようなさまざまな無線通信システムに使用することができる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、Ｅ−ＵＴＲＡを使用するＵＭＴＳの最新リリースであり、ダウンリンクではＯＦＤＭＡを用い、アップリンクではＳＣ−ＦＤＭＡを用いる。
【００２２】
シングル・キャリア周波数分割多元接続（ＳＣ−ＦＤＭＡ）は、シングル・キャリア変調および周波数ドメイン等値化を用いる。ＳＣ−ＦＤＭＡは、ＯＦＤＭＡシステムと類似の性能を有し、本質的に全体的に同等の複雑さを有する。ＳＣ−ＦＤＭＡ信号は、その固有のシングル・キャリア構造により、より低いピーク対平均電力比（ＰＡＰＲ）を有する。ＳＣ−ＦＤＭＡは、例えば、より低いＰＡＰＲが送信電力効率の観点からアクセス端末に非常に役立つアップリンク通信で使用されうる。したがって、ＳＣ−ＦＤＭＡは、３ＧＰＰロング・ターム・イボリューション（ＬＴＥ）すなわちイボルブドＵＴＲＡにおけるアップリンク多元接続性スキームとして実施されうる。
【００２３】
さらに、本明細書では、さまざまな実施形態が、モバイル・デバイスに関連して記載される。モバイル・デバイスはまた、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、あるいはユーザ機器（ＵＥ）とも称されうる。モバイル・デバイスは、セルラ電話、コードレス電話、セッション初期化プロトコル（ＳＩＰ）電話、無線ローカル・ループ（ＷＬＬ）局、携帯情報端末（ＰＤＡ）、無線接続機能を有する携帯型デバイス、コンピュータ・デバイス、あるいは無線モデムに接続されたその他の処理デバイスでありうる。さらに、本明細書では、さまざまな実施形態が、基地局に関連して記載される。基地局はモバイル・デバイスと通信するために利用することができ、アクセス・ポイント、ノードＢあるいはその他の用語で称されうる。
【００２４】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２５】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２本のアンテナしか例示されていないが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００２６】
基地局１０２は、例えばモバイル・デバイス１１６およびモバイル・デバイス１２２のような１または複数のモバイル・デバイスと通信しうる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６、１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってアクセス端末１１６へ情報を送信し、逆方向リンク１２０によってアクセス端末１１６から情報を受信する。さらに、モバイル・デバイス１２２はアンテナ１０４およびアンテナ１０６と通信している。ここで、アンテナ１０４およびアンテナ１０６は、順方向リンク１２４でアクセス端末１２２へ情報を送信し、逆方向リンク１２６でアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２７】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。また、基地局１０２が、関連付けられた有効通信範囲にランダムに散在したモバイル・デバイス１１６、１２２に送信するためにビームフォーミングを利用している間、近隣セル内のモバイル・デバイスは、すべてのモバイル・デバイスに対して単一のアンテナによって送信している基地局に比べて、少ない干渉しか被らない。
【００２８】
基地局１０２（および／または基地局１０２のおのおののセクタ）は、１または複数の多元接続技術（例えば、ＣＤＭＡ、ＴＤＭＡ、ＦＤＭＡ、ＯＦＤＭＡ）を使用しうる。例えば、基地局１０２は、対応する帯域幅においてモバイル・デバイス（例えば、モバイル・デバイス１１６、１２２）と通信するために特定の技術を利用しうる。さらに、基地局１０２によって、１より多くの技術が適用される場合、おのおのの技術は、それぞれの帯域幅に関連付けられうる。本明細書に記載された技術は下記を含みうる。グローバル・システム・フォー・モバイル（ＧＳＭ）、汎用パケット・ラジオ・サービス（ＧＰＲＳ）、エンハンスト・データ・レート・フォーＧＳＭイボリューション（ＥＤＧＥ）、ユニバーサル・モバイル・テレコミュニケーション・システム（ＵＭＴＳ）、広帯域符号分割多元接続（Ｗ−ＣＤＭＡ）、ｃｄｍａＯｎｅ（ＩＳ−９５）、ＣＤＭＡ２０００、イボリューション−データ・オプティマイズド（ＥＶ−ＤＯ）、ウルトラ・モバイル・ブロードバンド（ＵＭＢ）、ワールドワイド・インタオペラビリティ・フォー・マイクロウェーブ・アクセス（ＷｉＭＡＸ）、ＭｅｄｉａＦＬＯ、デジタル・マルチメディア・ブロードキャスティング（ＤＭＢ）、デジタル・ビデオ・ブロードキャスティング−ハンドヘルド（ＤＶＢ−Ｈ）等。前述した技術のリストは、例として与えられたものであって、権利主張される主題はそれに限定されないことが認識されるべきである。実質的に任意の無線通信技術が、特許請求の範囲内にあることが意図されること
基地局１０２は、第１の技術を用いて第１の帯域幅を利用しうる。さらに、基地局１０２は、第１の技術に対応するパイロットを、第２の帯域幅で送信しうる。例示によれば、第２の帯域幅は、基地局１０２、および／または、通信のために任意の第２の技術を利用する別の基地局（図示せず）によって導入されうる。さらに、パイロットは、第１の技術の存在を（例えば、第２の技術によって通信しているモバイル・デバイスへ）示しうる。例えば、パイロットは、第１の技術の存在に関する情報を伝送するビットを使用しうる。さらに、例えば、第１の技術を利用するセクタのセクタＩＤ、第１の周波数帯域幅を示すキャリア・インデクス等のような情報がパイロットに含まれうる。
【００２９】
別の例によれば、パイロットは、ビーコン（および／またはビーコンのシーケンス）でありうる。ビーコンは、ＯＦＤＭシンボルでありうる。ここでは、電力の大部分が、１つのサブキャリアまたは少数のサブキャリア（例えば、少ない数のサブキャリア）で送信される。したがって、ビーコンは、モバイル・デバイスによって観察されうる強いピークをもたらすが、同時に、帯域幅の狭い部分において、データと干渉する（例えば、帯域幅の残りの部分は、ビーコンによって影響されない）。この例によれば、第１のセクタは、第１の帯域幅で、ＣＤＭＡによって通信し、第２のセクタは、第２の帯域幅で、ＯＦＤＭによって通信しうる。したがって、第１のセクタは、第２の帯域幅においてＯＦＤＭビーコン（またはＯＦＤＭビーコンのシーケンス）を（例えば、第２の帯域幅においてＯＦＤＭを利用して動作しているモバイル・デバイスへ）送信することによって、第１の帯域幅におけるＣＤＭＡの利用可能性を示しうる。
【００３０】
主題とするイノベーションは、ユーザ機器への割り当てのために利用可能なランダム・アクセス・リソース数を定義しうる。例えば、ユーザ機器は、情報ブロックによって、定義されたランダム・アクセス・リソース数を特定しうる。ユーザ機器は、定義された多くのランダム・アクセス・リソースのうちの少なくとも１つにランダムにまたは均一に割り当てられうる。ネットワークおよび／または基地局は、負荷、履歴負荷データ、および／または、レポート／検出された遅延量に基づいて、利用可能なランダム・アクセス・リソース数を定義または設定しうる。例えば、このような遅延に基づいて、ユーザ機器が割り当てられるランダム・アクセス・リソース数が、増加または減少されうる。
【００３１】
図２に移り、無線通信環境において適用される通信装置２００が例示される。通信装置２００は、基地局またはその一部であるか、モバイル・デバイスまたはその一部であるか、無線通信環境で送信されたデータを受信する実質的に任意の通信装置でありうる。通信システムでは、通信装置２００は、定義された利用可能なランダム・アクセス・リソース数のセットに基づいて、ユーザ機器へのランダム・アクセス・リソースの割当を管理するために、以下に記載する構成要素を適用する。
【００３２】
通信装置２００は、情報ブロックにアクセスしうるコレクタ・モジュール２０２を含みうる。情報ブロックは、ユーザ機器に割り当てられうる利用可能なランダム・アクセス・リソース数を定義しうる。この通信装置２００はさらに、利用可能な多くのランダム・アクセス・リソースのうちの少なくとも１つの選択または割当を行う選択モジュール２０４を含みうる。この割当はランダムまたは均一でありうることが認識されるべきである。例えば、ユーザ機器は、利用可能な多くのランダム・アクセス・リソースのうちの１つをランダムに割り当てられうる。したがって、第１のユーザ機器に、ランダム・アクセス・リソースのうちの１つがランダムに割り当てられ、第２のユーザ機器に、ランダム・アクセス・リソースのうちの１つがランダムに割り当てられうる。別の例において、ユーザ機器は、割当分配が、定義された利用可能な数のランダム・アクセス・リソースにわたって一様および／または均一になるように、ランダム・アクセス・リソースが均一に割り当てられうる。
【００３３】
通信装置２００はさらに、第１の物理ランダム・アクセス・チャネル（ＰＲＡＣＨ）設定と第２のＰＲＡＣＨ設定との間に時間シフトを適用するシフト・モジュール２０６を含みうる。この時間シフトは、第１のＰＲＡＣＨ設定と第２のＰＲＡＣＨ設定とを区別するため、任意の適切な期間となりうることが認識されるべきである。さらなる詳細のために、図４を参照されたい。
【００３４】
図示していないが、通信装置２００は、これに加えて、割り当てられたランダム・アクセス・リソースに関連付けられた遅延量を、負荷に基づいてレポート／検出する負荷データおよび遅延情報を通信しうる。例えば、この遅延情報は、ネットワークおよび／または基地局が、利用可能なランダム・アクセス・リソース数を定義することを容易にするためにレポートおよび検出されうる。したがって、定義された利用可能なランダム・アクセス・リソース数は、遅延量に基づいて、増加、減少、または維持されうる。例えば、定義された利用可能なランダム・アクセス・リソース数が増加すると、遅延を増加させうる。一方、定義された利用可能なランダム・アクセス・リソース数が減少すると、遅延を減少させうる。一般に、基地局の負荷は、定義された利用可能なランダム・アクセス・リソース数を調節すること、すなわち、遅延を管理することによって管理されうる。
【００３５】
さらに、図示していないが、通信装置２００は、システム情報ブロックにアクセスすること、アクセスされたシステム情報ブロックに基づいて、利用可能なランダム・アクセス・リソース数を特定すること、利用可能な多くのランダム・アクセス・リソースのうちの少なくとも１つを利用すること等に関連する命令群を保持するメモリを含みうることが認識されるべきである。さらに、通信装置２００は、（例えば、メモリ内に保持された命令群、別のソースから取得された命令群のような）命令群を実行することに関連して利用されるプロセッサを含みうる。
【００３６】
図示していなが、これに加えて、無線通信装置２００は、基地局のために、利用可能なランダム・アクセス・リソース数を設定することと、システム情報ブロック内の利用可能なランダム・アクセス・リソース数を定義することと、ユーザ機器（ＵＥ）が、システム情報ブロックにアクセスし、利用可能なランダム・アクセス・リソース数を特定できるようにすること等に関連する命令群を保持するメモリを含みうることが認識されるべきである。さらに、通信装置２００は、（例えば、メモリ内に保持された命令群、別のソースから取得された命令群のような）命令群を実行することに関連して利用されるプロセッサを含みうる。
【００３７】
図３に示すように、遅延およびランダム・アクセス負荷を最小化するために、ランダム・アクセス・リソースの管理割当を提供しうる無線通信システム３００が例示されている。このシステム３００は、ユーザ機器３０４（および／または、（図示しない）任意の数の他のユーザ機器）と通信する基地局３０２を含む。基地局３０２は、順方向リンク・チャネルでユーザ機器３０４に情報を送信しうる。さらに、基地局３０２は、逆方向リンク・チャネルでユーザ機器３０４から情報を受信しうる。さらに、システム３００は、ＭＩＭＯシステムでありうる。さらに、システム３００は、ＯＦＤＭＡ無線ネットワーク、３ＧＰＰ  ＬＴＥ無線ネットワーク等において動作しうる。さらに、基地局３０２内において図示および以下に説明される構成要素および機能は、一例において、逆に、ユーザ機器３０４内にも存在することができるが、図示する構成は、説明を簡単にするために、これら構成要素を除外している。
【００３８】
基地局３０２は、ユーザ機器に割り当てられうる利用可能なランダム・アクセス・リソース数を定義するために特性を評価しうる評価モジュール３０６を含んでいる。評価モジュール３０６は、基地局に関連付けられた負荷、基地局と通信するユーザ機器に関連する遅延量、および／または、遅延および／または負荷に関連する履歴データの一部のうちの少なくとも１つを評価しうる。
【００３９】
基地局３０２は、ユーザ機器に割り当てられうる利用可能なランダム・アクセス・リソース数を定義しうる定義モジュール３０８を含みうる。例えば、定義モジュール３０８は、利用可能なランダム・アクセス・リソース数に関するデフォルト値を定めうる。例えば、デフォルト値はゼロ（０）より大きな正の整数でありうる。別の例において、利用可能なランダム・アクセス・リソース数のために定義される値は動的であり、評価モジュール３０８に基づいて調節されうる。
【００４０】
基地局３０２はさらに、定義された利用可能なランダム・アクセス・リソース数をユーザ機器３０４に通信しうる送信モジュール３１０を含みうる。一般に、送信モジュール３１０は、定義された利用可能なランダム・アクセス・リソース数を、システム情報ブロックによってユーザ機器３０４へ通信しうる。定義された利用可能なランダム・アクセス・リソース数をユーザ機器３０４へブロードキャストするために、任意の適切な技術または通信が適用されうることが認識されるべきである。
【００４１】
ユーザ機器３０４は、ユーザ機器３０４に割り当てられうる定義された利用可能なランダム・アクセス・リソース数を受信または特定しうるコレクタ・モジュール３１２を含みうる。例えば、コレクタ・モジュール３１２は、利用可能なランダム・アクセス・リソース数が定義されているシステム情報ブロックにアクセスしうる。ユーザ機器３０４は、定義された多くの利用可能なランダム・アクセス・リソースのうちの１つの選択、あるいは、ユーザ機器３０４への割り当てを行いうる選択モジュール３１４を含みうる。選択モジュール３１４は、利用可能なランダム・アクセス・リソースのおのおのにおいて、ユーザ機器の量に基づいて、ランダム割当または均一割当を適用しうることが認識されるべきである。
【００４２】
ユーザ機器３０４はさらに、第１の物理ランダム・アクセス・チャネル（ＰＲＡＣＨ）設定と第２のＰＲＡＣＨ設定との間に時間シフトを適用しうるシフト・モジュール３１６を含みうる。時間シフトは、第１のＰＲＡＣＨ設定と第２のＰＲＡＣＨ設定とを区別するために、任意の適切な期間となりうることが認識されるべきである。
【００４３】
図示していないが、さらに基地局３０２は、システム情報ブロックにアクセスすること、アクセスされたシステム情報ブロックに基づいて、利用可能なランダム・アクセス・リソース数を特定することと、利用可能な多くのランダム・アクセス・リソースのうちの少なくとも１つを利用すること等に関連する命令群を保持するメモリを含みうることが認識されるべきである。さらに、通信装置２００は、（例えば、メモリ内に保持された命令群、別のソースから取得された命令群のような）命令群を実行することに関連して利用されるプロセッサを含みうる。
【００４４】
図示していないが、基地局３０２は、それに加えて、基地局のために、利用可能なランダム・アクセス・リソース数を設定することと、システム情報ブロック内の利用可能なランダム・アクセス・リソース数を定義することと、ユーザ機器（ＵＥ）が、システム情報ブロックにアクセスし、利用可能なランダム・アクセス・リソース数を特定できるようにすること等に関連する命令群を保持するメモリを含みうることが認識されるべきである。さらに、通信装置２００は、（例えば、メモリ内に保持された命令群、別のソースから取得された命令群のような）命令群を実行することに関連して利用されるプロセッサを含みうる。
【００４５】
図４に示すように、無線通信システム４００は、第１の物理ランダム・アクセス・チャネル（ＰＲＡＣＨ）設定と第２のＰＲＡＣＨ設定との間で時間シフトを実行することを提供しうる。
【００４６】
このシステム４００は、第１のＰＲＡＣＨ設定Ａ（１８，６）４０２と、第２のＰＲＡＣＨ設定Ａ（１８，６）４０４とを含みうる。ここで、第２のＰＲＡＣＨ設定４０４は、第１のＰＲＡＣＨ設定４０２に比べて、追加の時間シフトを含んでいる。Ｎは、ユーザ機器に割り当てられうる定義された利用可能なランダム・アクセス・リソース数であると認識されるべきである。例えば、ネットワークおよび／または基地局がＮを３と定義すると、ＵＥは、（各ランダム・アクセス・リソースの負荷に基づいて）１、２、３、または４にランダムまたは均一に割り当てられうる。
【００４７】
システム４００によって、ＲＡＣＨ均一負荷とＲＡＣＨ最小遅延との間の調整が可能となる。ＵＥは、ＰＲＡＣＨ機会を有する到来するＮ個のサブフレームにおけるＰＲＡＣＨ機会から、均一分配にしたがってランダムに取得しうる。（例えば、利用可能なランダム・アクセス・リソース数である）Ｎは、システム情報において示されうる。例えば、システム情報ブロック内では、｛１、２、３、４｝を示すために、２ビットが利用されうる。別の例では、遅延を最小にするために、（例えば、ゼロよりも大きな正の整数である）デフォルト値が利用されうる。例えば、１に設定されたＤＥＦＡＵＬＴ値を用いて、遅延が最小化されうる。これは、負荷を均一に拡散し、必要であれば、遅延が低く保たれる。この方法は、ＴＤＤおよびＦＤＤのために使用されうることが認識されるべきである。従来、ＰＲＡＣＨ遅延は、不均一なＰＲＡＣＨ負荷を犠牲にして最小化されうる。これは、ＰＲＡＣＨが、過度のオーバヘッドをもたらすことを意味する。しかし、主題とするイノベーションによって、オーバヘッドは最小化および／または低減されうる。
【００４８】
図５乃至６を参照して、無線環境内での遅延およびランダム・アクセス負荷を最小化することに関連する方法が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示されたすべての動作が必要とされる訳ではない。
【００４９】
図５に移って、無線環境内のランダム・アクセス負荷および遅延を最小化することを容易にする方法５００が例示されている。参照番号５０２では、システム情報ブロックがアクセスされうる。参照番号５０４では、アクセスされたシステム情報ブロックに基づいて、利用可能なランダム・アクセス・リソース数が特定されうる。参照番号５０６では、利用可能な多くのランダム・アクセス・リソースのうちの少なくとも１つが利用されうる。
【００５０】
図６に示すのは、無線通信環境内でランダム・アクセス・リソース割当を管理することを容易にする方法６００。参照番号６０２では、基地局のために利用可能なランダム・アクセス・リソース数が設定されうる。参照番号６０４では、システム情報ブロック内で利用可能なランダム・アクセス・リソース数が定義されうる。参照番号６０６では、利用可能なランダム・アクセス・リソース数を特定するために、ユーザ機器（ＵＥ）が、システム情報ブロックにアクセスすることが可能とされうる。
【００５１】
図７は、無線通信システムにおいてランダム・アクセス・リソース割当を適用することを容易にするモバイル・デバイス７００の例示である。モバイル・デバイス７００は、例えば（図示しない）受信アンテナから信号を受信し、受信した信号について一般的な動作（例えば、フィルタ、増幅、ダウンコンバート等）を実行し、これら調整された信号をデジタル化してサンプルを得る受信機７０２を備えうる。受信機７０２は、受信したシンボルを復調し、それらをチャネル推定のためにプロセッサ７０６へ提供する復調器７０４を備えうる。プロセッサ７０６は、受信機７０２によって受信された情報を分析すること、および／または、送信機７１６による送信のための情報を生成することに特化されたプロセッサ、モバイル・デバイス７００の１または複数の構成要素を制御するプロセッサ、および／または、受信機７０２によって受信された情報を分析することと、送信機７１６による送信のための情報を生成することと、モバイル・デバイス７００のうちの１または複数の構成要素を制御することとのすべて行うプロセッサでありうる。
【００５２】
モバイル・デバイス７００は、プロセッサ７０６に動作可能に接続されたメモリ７０８をさらに備える。このメモリは、送信されるべきデータ、受信したデータ、利用可能なチャネルに関連する情報、分析された信号および／または干渉強度に関連付けられたデータ、割り当てられたチャネル、電力、レート等に関連する情報、および、チャネルの推定およびチャネルを介した通信のために適切なその他任意の情報を格納しうる。メモリ７０８はさらに、（例えば、パフォーマンス・ベース、キャパシティ・ベース等での）チャネルの推定および／または利用に関連付けられたアルゴリズムおよび／またはプロトコルを格納しうる。
【００５３】
本明細書に記載されたデータ・ストア（例えば、メモリ７０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ７０８は、限定される訳ではないが、これらおよびその他任意の適切なタイプのメモリを備えることが意図される。
【００５４】
プロセッサ７０６はさらに、コレクタ・モジュール７１０および／または選択モジュール７１２に動作可能に接続されうる。コレクタ・モジュール７１０は、ユーザ機器（例えば、モバイル・デバイス７００）に割り当てられうる定義された利用可能なランダム・アクセス・リソースへのアクセス、または、ランダム・アクセス・リソース数の特定を行いうる。コレクタ・モジュール７１０は、利用可能なランダム・アクセス・リソース数を特定するために、システム情報ブロックにアクセスしうる。選択モジュール７１２は、定義された利用可能なランダム・アクセス・リソースのセットからの１つのランダム・アクセス・リソースを、モバイル・デバイス７００へ割り当てうる。選択モジュール７１２は、各ランダム・アクセス・リソースの負荷に基づいて、均一割当、または、利用可能なランダム・アクセス・リソースのセットからのランダム選択を適用しうることが認識されるべきである。
【００５５】
モバイル・デバイス７００はさらに、信号を変調する変調器７１４と、この信号を例えば基地局、別のモバイル・デバイス等へ送信する送信機７１６とを備える。プロセッサ６０６と別に図示されているが、コレクタ・モジュール７１０、選択モジュール７１２、復調器７０４、および／または、変調器７１４は、プロセッサ７０６または複数のプロセッサ（図示せず）の一部でありうることが認識されるべきである。
【００５６】
図８は、前述したように、無線通信環境におけるランダム・アクセス・リソース割当を管理することを容易にするシステム８００の例示である。このシステム８００は、複数の受信アンテナ８０６によって１または複数のモバイル・デバイス８０４から信号を受信する受信機８１０と、送信アンテナ８０８によって１または複数のモバイル・デバイス８０４へ信号を送信する送信機８２４とを備える、基地局８０２（例えば、アクセス・ポイント）を備える。受信機８１０は、受信アンテナ８０６から情報を受信する。さらに、受信した情報を復調する復調器８１２と動作可能に関連付けられている。復調されたシンボルは、図７に関連して上述されたプロセッサと類似のプロセッサ８１４によって分析される。プロセッサ８１４は、信号（例えばパイロット）強度および／または干渉強度を推定することに関連する情報、モバイル・デバイス８０４（または（図示しない）別の基地局）へ／から送信される／受信されたデータ、および／または、本明細書に記載されたさまざまな動作および機能を実行することに関連するその他任意の適切な情報を格納するメモリ８１６に結合されている。
【００５７】
プロセッサ８１４はさらに、評価モジュール８１８および／または定義モジュール８２０に接続されている。評価モジュール８１８は、ユーザ機器または基地局のうちの少なくとも１つに関する負荷および／または遅延に関連するさまざまな特性を評価しうる。評価モジュール８１８は、利用可能なランダム・アクセス・リソース数を定義するために利用されうる負荷／遅延情報を収集しうる。定義モジュール８２０は、ユーザ機器に割り当てられる利用可能なランダム・アクセス・リソース数の定義された値を設定しうる。定義モジュール８２０は、デフォルト値、固定値、動的値等を利用しうることが認識されるべきである。さらに、定義モジュール８２０は、評価された特性に基づいて、定義された利用可能なランダム・アクセス・リソース数を動的に調節するために、評価モジュール８１８を導入しうる。それに加えて、定義モジュール８２０は、これら情報にユーザ機器がアクセスできるようにするために、システム情報ブロック内で利用可能なランダム・アクセス・リソース数を定義しうる。さらに、プロセッサ８１４と別に図示されているが、評価モジュール８１８、定義モジュール８２０、復調器８１２、および／または、変調器８２２は、プロセッサ８１４あるいは複数のプロセッサ（図示せず）の一部でありうることが認識されるべきである。
【００５８】
図９は、無線通信システム９００の例を示す。無線通信システム９００は、簡潔さの目的で、１つの基地局９１０と１つのモバイル・デバイス９５０とを示している。しかしながら、システム９００は、１より多い基地局、および／または、１より多いモバイル・デバイスを含むことができ、これら追加の基地局および／またはモバイル・デバイスは、以下に説明する基地局９１０およびモバイル・デバイス９５０の例と実質的に同じでも、別のものでもありうることが認識されるべきである。さらに、基地局９１０および／またはモバイル・デバイス９５０は、その間の無線通信を容易にするために、本明細書に記載されたシステム（図１乃至３、および図７乃至８）、技術／設定（図４）、および／または、方法（図５乃至６）を適用しうることが認識されるべきである。
【００５９】
基地局９１０では、多くのデータ・ストリームのためのトラフィック・データが、データ・ソース９１２から送信（ＴＸ）データ・プロセッサ９１４へ提供される。一例によれば、おのおののデータ・ストリームが、それぞれのアンテナを介して送信される。ＴＸデータ・プロセッサ９１４は、トラフィック・データ・ストリームをフォーマットし、このデータ・ストリームのために選択された特定の符合化スキームに基づいて符号化し、インタリーブして、符合化されたデータを提供する。
【００６０】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス９５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ９３０によって実行または提供される命令によって決定されうる。
【００６１】
データ・ストリームの変調シンボルは、（例えば、ＯＦＤＭのために）変調シンボルを処理するＴＸ  ＭＩＭＯプロセッサ９２０に提供される。ＴＸ  ＭＩＭＯプロセッサ９２０はその後、ＮＴ個の変調シンボル・ストリームを、ＮＴ個の送信機（ＴＭＴＲ）９２２ａ乃至９２２ｔへ提供する。さまざまな実施形態において、ＴＸ  ＭＩＭＯプロセッサ９２０は、データ・ストリームのシンボル、および、そのシンボルが送信されるアンテナへ、ビームフォーミング重みを適用する。
【００６２】
おのおのの送信機９２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機９２２ａ乃至９２２ｔからのＮＴ個の変調信号は、ＮＴ個のアンテナ９２４ａ乃至９２４ｔそれぞれから送信される。
【００６３】
モバイル・デバイス９５０では、送信された変調信号が、ＮＲ個のアンテナ９５２ａ乃至９５２ｒによって受信され、おのおののアンテナ９５２から受信した信号が、それぞれの受信機（ＲＣＶＲ）９５４ａ乃至９５４ｒへ提供される。おのおのの受信機９５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００６４】
ＲＸデータ・プロセッサ９６０は、ＮＲ個の受信機９５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ９６０は、検出されたおのおののシンボル・ストリームを復調し、デインタリーブし、復号して、そのデータ・ストリームのためのトラフィック・データを復元する。ＲＸデータ・プロセッサ９６０による処理は、基地局９１０におけるＴＸ  ＭＩＭＯプロセッサ９２０およびＴＸデータ・プロセッサ９１４によって実行されるものと相補的である。
【００６５】
プロセッサ９７０は、上述したように、どの事前符合化行列を使用するのかを定期的に決定する。さらに、プロセッサ９７０は、行列インデクス部およびランク値部を備えた逆方向リンク・メッセージを規定することができる。
【００６６】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース９３６から受け取るＴＸデータ・プロセッサ９３８によって処理され、変調器９８０によって変調され、送信機９５４ａ乃至９５４ｒによって調整され、基地局９１０へ送り戻される。
【００６７】
基地局９１０では、モバイル・デバイス９５０からの変調信号が、アンテナ９２４によって受信され、受信機９２２によって調整され、復調器９４０によって復調され、ＲＸデータ・プロセッサ９４２によって処理されて、モバイル・デバイス９５０によって送信された逆方向リンク・メッセージが抽出される。さらに、プロセッサ９３０は、ビームフォーミング重みを決定するためにどの事前符合化行列を使用するかを決定するために、この抽出されたメッセージを処理する。
【００６８】
プロセッサ９３０およびプロセッサ９７０は、基地局９１０およびモバイル・デバイス９５０それぞれにおける動作を指示（例えば、制御、調整、管理等）する。プロセッサ９３０およびプロセッサ９７０はそれぞれ、プログラム・コードおよびデータを格納するメモリ９３２およびメモリ９７２に関連付けられうる。プロセッサ９３０およびプロセッサ９７０はまた、アップリンクおよびダウンリンクそれぞれのための周波数およびインパルス応答推定値を導出する計算をも実行する。
【００６９】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロ・プロセッサ、本明細書に記載の機能を実行するために設計されたその他の電子ユニット、あるいはこれらの組み合わせ内に実装されうる。
【００７０】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００７１】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００７２】
図１０を参照して、定義された利用可能なランダム・アクセス・リソース数に基づいて、最適化された割当を、ランダム・アクセス・リソースへ提供するシステム１０００が例示される。例えば、システム１０００は、基地局、モバイル・デバイスなどの中に少なくとも部分的に存在しうる。システム１０００は、プロセッサ、ソフトウェア、またはそれらの組み合わせ（例えば、ファームウェア）によって実現される機能を表す機能ブロックでありうる機能ブロックを含むものとして示されることが認識されるべきである。システム１０００は、連携して動作しうる電子構成要素の論理グループ１００２を含む。論理グループ１００２は、システム情報ブロックへアクセスするための電子構成要素１００４を含みうる。それに加えて、論理グループ１００２は、アクセスされたシステム情報ブロックに基づいて、利用可能なランダム・アクセス・リソース数を特定するための電子構成要素１００６を備えうる。さらに、論理グループ１００２は、利用可能な多くのランダム・アクセス・リソースのうちの少なくとも１つを利用するための電子構成要素１００８を含みうる。さらに、システム１０００は、電子構成要素１００４、１００６、１００８に関連付けられた機能を実行するための命令群を保持するメモリ１０１０を含みうる。メモリ１０１０の外側にあると示されているが、電子構成要素１００４、１００６、１００８のうちの１または複数は、メモリ１０１０内に存在しうることが理解されるべきである。
【００７３】
図１１に移って、負荷および遅延を最小にするために、ユーザ機器が無線通信ネットワークにおいて割り当てられうる利用可能なランダム・アクセス・リソース数を調節するシステム１１００が例示されている。システム１１００は、例えば、基地局、モバイル・デバイス等に存在しうる。図示するように、システム１１００は、プロセッサ、ソフトウェア、または（例えば、ファームウェアのような）これらの組み合わせによって実現される機能を表しうる。論理グループ１１０２は、基地局のために利用可能なランダム・アクセス・リソース数を設定するための電子構成要素１１０４を含みうる。それに加えて、論理グループ１１０２は、システム情報ブロック内で利用可能なランダム・アクセス・リソース数を定義するための電子構成要素１１０６を備えうる。さらに、論理グループ１１０２は、ユーザ機器（ＵＥ）が、利用可能なランダム・アクセス・リソース数を特定するためにシステム情報ブロックにアクセス可能にするための電子構成要素１１０８を含みうる。さらに、システム１１００は、電子構成要素１１０４、１１０６、１１０８に関連付けられた機能を実行するための命令群を保持するメモリ１１１０を含みうる。メモリ１１１０の外側にあると示されているが、電子構成要素１１０４、１１０６、１１０８のうちの１または複数は、メモリ１１１０内に存在しうることが理解されるべきである。
【００７４】
上述したものは、１または複数の実施形態のうちの一例を含む。もちろん、上述した実施形態を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのようなすべての変更、変更、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
以下に本願発明の当初の特許請求の範囲に記載された発明を付記する。
［Ｃ１］
遅延およびランダム・アクセス負荷を最小化することを容易にする無線通信システムにおいて使用される方法であって、
システム情報ブロックにアクセスすることと、
前記アクセスしたシステム情報ブロックに基づいて、利用可能なランダム・アクセス・リソース数を特定することと、
前記利用可能な多くのランダム・アクセス・リソースのうちの少なくとも１つを利用することと
を備える方法。
［Ｃ２］
前記利用可能な多くのランダム・アクセス・リソースのうちの少なくとも１つを均一に選択することをさらに備えるＣ１に記載の方法。
［Ｃ３］
前記利用可能な多くのランダム・アクセス・リソースのうちの少なくとも１つを、１または複数のユーザ機器（ＵＥ）へ均一に割り当てることをさらに備えるＣ１に記載の方法。
［Ｃ４］
前記利用可能な多くのランダム・アクセス・リソースのうちの少なくとも１つをランダムに選択することをさらに備えるＣ１に記載の方法。
［Ｃ５］
前記利用可能な多くのランダム・アクセス・リソースのうちの少なくとも１つを、１または複数のユーザ機器にランダムに割り当てることをさらに備えるＣ１に記載の方法。
［Ｃ６］
前記利用可能なランダム・アクセス・リソース数を、デフォルト値として特定することをさらに備えるＣ１に記載の方法。
［Ｃ７］
前記デフォルト値は、ゼロ（０）よりも大きな正の整数であるＣ６に記載の方法。
［Ｃ８］
第１の物理ランダム・アクセス・チャンネル（ＰＲＡＣＨ）設定と、第２の物理ランダム・アクセス・チャンネル（ＰＲＡＣＨ）設定との間で時間シフトを実施することをさらに備え、
前記第１の物理ランダム・アクセス・チャンネル（ＰＲＡＣＨ）設定は、前記ユーザ機器に関連し、前記第２のＰＲＡＣＨ設定は、別のユーザ機器に関連するＣ１に記載の方法。
［Ｃ９］
前記ユーザ機器に関連する遅延量と、前記利用可能な多くのランダム・アクセス・リソースのうちの少なくとも１つとを通信することをさらに備えるＣ１に記載の方法。
［Ｃ１０］
ネットワークまたは基地局のうちの少なくとも１つからのランダムな割当に基づいて、前記利用可能な多くのランダム・アクセス・リソースのうちの少なくとも１つを利用することをさらに備えるＣ１に記載の方法。
［Ｃ１１］
ネットワークまたは基地局のうちの少なくとも１つからのランダムな選択に基づいて、前記利用可能な多くのランダム・アクセス・リソースのうちの少なくとも１つを利用することをさらに備えるＣ１に記載の方法。
［Ｃ１２］
ネットワークまたは基地局のうちの少なくとも１つからの均一な割当に基づいて、前記利用可能な多くのランダム・アクセス・リソースのうちの少なくとも１つを利用することをさらに備えるＣ１に記載の方法。
［Ｃ１３］
ネットワークまたは基地局のうちの少なくとも１つからの均一な選択に基づいて、前記利用可能な多くのランダム・アクセス・リソースのうちの少なくとも１つを利用することをさらに備えるＣ１に記載の方法。
［Ｃ１４］
無線通信装置であって、
システム情報ブロックにアクセスし、前記アクセスしたシステム情報ブロックに基づいて、利用可能なランダム・アクセス・リソース数を特定し、前記利用可能な多くのランダム・アクセス・リソースのうちの少なくとも１つを利用するように構成された少なくとも１つのプロセッサと、
前記少なくとも１つのプロセッサに接続されたメモリと
を備える無線通信装置。
［Ｃ１５］
前記利用可能な多くのランダム・アクセス・リソースのうちの少なくとも１つを、１または複数のユーザ機器（ＵＥ）へ均一に割り当てるように構成された少なくとも１つのプロセッサをさらに備えるＣ１４に記載の無線通信装置。
［Ｃ１６］
前記利用可能な多くのランダム・アクセス・リソースのうちの少なくとも１つを均一に選択するように構成された少なくとも１つのプロセッサをさらに備えるＣ１４に記載の無線通信装置。
［Ｃ１７］
前記利用可能な多くのランダム・アクセス・リソースのうちの少なくとも１つを、１または複数のユーザ機器にランダムに割り当てるように構成された少なくとも１つのプロセッサをさらに備えるＣ１４に記載の無線通信装置。
［Ｃ１８］
前記利用可能な多くのランダム・アクセス・リソースのうちの少なくとも１つをランダムに選択するように構成された少なくとも１つのプロセッサをさらに備えるＣ１４に記載の無線通信装置。
［Ｃ１９］
前記利用可能なランダム・アクセス・リソース数を、デフォルト値として特定するように構成された少なくとも１つのプロセッサをさらに備えるＣ１４に記載の無線通信装置。
［Ｃ２０］
前記デフォルト値は、ゼロ（０）よりも大きな正の整数であるＣ１９に記載の無線通信装置。
［Ｃ２１］
第１の物理ランダム・アクセス・チャンネル（ＰＲＡＣＨ）設定と、第２の物理ランダム・アクセス・チャンネル（ＰＲＡＣＨ）設定との間で時間シフトを実施するように構成された少なくとも１つのプロセッサをさらに備え、
前記第１の物理ランダム・アクセス・チャンネル（ＰＲＡＣＨ）設定は、前記ユーザ機器に関連し、前記第２のＰＲＡＣＨ設定は、別のユーザ機器に関連するＣ１４に記載の無線通信装置。
［Ｃ２２］
前記ユーザ機器に関連する遅延量と、前記利用可能な多くのランダム・アクセス・リソースのうちの少なくとも１つとを通信するように構成された少なくとも１つのプロセッサをさらに備えるＣ１４に記載の無線通信装置。
［Ｃ２３］
ネットワークまたは基地局のうちの少なくとも１つからのランダムな割当に基づいて、前記利用可能な多くのランダム・アクセス・リソースのうちの少なくとも１つを利用するように構成された少なくとも１つのプロセッサをさらに備えるＣ１４に記載の無線通信装置。
［Ｃ２４］
前記利用可能なランダム・アクセス・リソースからのランダムな選択に基づいて、前記利用可能な多くのランダム・アクセス・リソースのうちの少なくとも１つを利用するように構成された少なくとも１つのプロセッサをさらに備えるＣ１４に記載の無線通信装置。
［Ｃ２５］
ネットワークまたは基地局のうちの少なくとも１つからの均一な割当に基づいて、前記利用可能な多くのランダム・アクセス・リソースのうちの少なくとも１つを利用するように構成された少なくとも１つのプロセッサをさらに備えるＣ１４に記載の無線通信装置。
［Ｃ２６］
前記利用可能なランダム・アクセス・リソースからの均一な選択に基づいて、前記利用可能な多くのランダム・アクセス・リソースのうちの少なくとも１つを利用するように構成された少なくとも１つのプロセッサをさらに備えるＣ１４に記載の無線通信装置。
［Ｃ２７］
無線環境内における遅延およびランダム・アクセス負荷を最小化する無線通信装置であって、
システム情報ブロックにアクセスする手段と、
前記アクセスしたシステム情報ブロックに基づいて、利用可能なランダム・アクセス・リソース数を特定する手段と、
前記利用可能な多くのランダム・アクセス・リソースのうちの少なくとも１つを利用する手段と
を備える無線通信装置。
［Ｃ２８］
前記利用可能な多くのランダム・アクセス・リソースのうちの少なくとも１つを、複数のユーザ機器（ＵＥ）に均一に割り当てる手段をさらに備えるＣ２７に記載の無線通信装置。
［Ｃ２９］
前記利用可能な多くのランダム・アクセス・リソースのうちの少なくとも１つを均一に選択する手段をさらに備えるＣ２７に記載の無線通信装置。
［Ｃ３０］
前記利用可能な多くのランダム・アクセス・リソースのうちの少なくとも１つを、複数のユーザ機器（ＵＥ）へランダムに割り当てることをさらに備えるＣ２７に記載の無線通信装置。
［Ｃ３１］
前記利用可能な多くのランダム・アクセス・リソースのうちの少なくとも１つを、ランダムに選択することをさらに備えるＣ２７に記載の無線通信装置。
［Ｃ３２］
前記利用可能なランダム・アクセス・リソース数を、デフォルト値として特定することをさらに備えるＣ２７に記載の無線通信装置。
［Ｃ３３］
前記デフォルト値は、ゼロ（０）よりも大きな正の整数であるＣ３２に記載の無線通信装置。
［Ｃ３４］
第１の物理ランダム・アクセス・チャンネル（ＰＲＡＣＨ）設定と、第２の物理ランダム・アクセス・チャンネル（ＰＲＡＣＨ）設定との間で時間シフトを実施することをさらに備え、
前記第１の物理ランダム・アクセス・チャンネル（ＰＲＡＣＨ）設定は、前記ユーザ機器に関連し、前記第２のＰＲＡＣＨ設定は、別のユーザ機器に関連するＣ２７に記載の無線通信装置。
［Ｃ３５］
前記ユーザ機器に関連する遅延量と、前記利用可能な多くのランダム・アクセス・リソースのうちの少なくとも１つとを通信することをさらに備えるＣ２７に記載の無線通信装置。
［Ｃ３６］
ネットワークまたは基地局のうちの少なくとも１つからのランダムな割当に基づいて、前記利用可能な多くのランダム・アクセス・リソースのうちの少なくとも１つを利用することをさらに備えるＣ２７に記載の無線通信装置。
［Ｃ３７］
前記利用可能な多くのランダム・アクセス・リソースからのランダムな選択に基づいて、前記利用可能な多くのランダム・アクセス・リソースのうちの少なくとも１つを利用することをさらに備えるＣ２７に記載の無線通信装置。
［Ｃ３８］
ネットワークまたは基地局のうちの少なくとも１つからの均一な割当に基づいて、前記利用可能な多くのランダム・アクセス・リソースのうちの少なくとも１つを利用することをさらに備えるＣ２７に記載の無線通信装置。
［Ｃ３９］
前記利用可能なランダム・アクセス・リソースからの均一な選択に基づいて、前記利用可能な多くのランダム・アクセス・リソースのうちの少なくとも１つを利用することをさらに備えるＣ２７に記載の無線通信装置。
［Ｃ４０］
コンピュータ読取可能媒体を備えるコンピュータ・プログラム製品であって、
前記コンピュータ読取可能媒体は、
少なくとも１つのコンピュータに対して、システム情報ブロックにアクセスさせるためのコードと、
少なくとも１つのコンピュータに対して、前記アクセスしたシステム情報ブロックに基づいて、利用可能なランダム・アクセス・リソース数を特定させるためのコードと、
少なくとも１つのコンピュータに対して、前記利用可能な多くのランダム・アクセス・リソースのうちの少なくとも１つを利用させるためのコードと
を備えるコンピュータ・プログラム製品。
［Ｃ４１］
少なくとも１つのコンピュータに対して、前記利用可能な多くのランダム・アクセス・リソースのうちの少なくとも１つを、複数のユーザ機器（ＵＥ）へ均一に割り当てさせるためのコードを備えるコンピュータ読取可能媒体をさらに備えるＣ４０に記載のコンピュータ・プログラム製品。
［Ｃ４２］
少なくとも１つのコンピュータに対して、前記利用可能な多くのランダム・アクセス・リソースのうちの少なくとも１つを均一に選択させるためのコードを備えるコンピュータ読取可能媒体をさらに備えるＣ４０に記載のコンピュータ・プログラム製品。
［Ｃ４３］
少なくとも１つのコンピュータに対して、前記利用可能な多くのランダム・アクセス・リソースのうちの少なくとも１つを、複数のユーザ機器にランダムに割り当てさせるためのコードを備えるコンピュータ読取可能媒体をさらに備えるＣ４０に記載のコンピュータ・プログラム製品。
［Ｃ４４］
少なくとも１つのコンピュータに対して、  前記利用可能な多くのランダム・アクセス・リソースのうちの少なくとも１つをランダムに選択させるためのコードを備えるコンピュータ読取可能媒体をさらに備えるＣ４０に記載のコンピュータ・プログラム製品。
［Ｃ４５］
少なくとも１つのコンピュータに対して、第１の物理ランダム・アクセス・チャンネル（ＰＲＡＣＨ）設定と、第２の物理ランダム・アクセス・チャンネル（ＰＲＡＣＨ）設定との間で時間シフトを実施させるためのコードを備えるコンピュータ読取可能媒体をさらに備え、
前記第１の物理ランダム・アクセス・チャンネル（ＰＲＡＣＨ）設定は、前記ユーザ機器に関連し、前記第２のＰＲＡＣＨ設定は、別のユーザ機器に関連するＣ４０に記載のコンピュータ・プログラム製品。
［Ｃ４６］
少なくとも１つのコンピュータに対して、  前記ユーザ機器に関連する遅延量と、前記利用可能な多くのランダム・アクセス・リソースのうちの少なくとも１つとを通信させるためのコードを備えるコンピュータ読取可能媒体をさらに備えるＣ４０に記載のコンピュータ・プログラム製品。
［Ｃ４７］
ランダム・アクセス・リソースを管理することを容易にする無線通信システムで使用される方法であって、
基地局のために、利用可能なランダム・アクセス・リソース数を設定することと、
システム情報ブロック内で利用可能なランダム・アクセス・リソース数を定義することと、
ユーザ機器（ＵＥ）が、前記システム情報ブロックにアクセスし、前記利用可能なランダム・アクセス・リソース数を特定できるようにすることと
を備える方法。
［Ｃ４８］
前記利用可能なランダム・アクセス・リソース数を、デフォルト値として設定することをさらに備えるＣ４７に記載の方法。
［Ｃ４９］
前記デフォルト値は、ゼロ（０）よりも大きな正の整数であるＣ４８に記載の方法。
［Ｃ５０］
前記基地局に関連付けられた負荷に基づいて、前記利用可能なランダム・アクセス・リソース数を設定することをさらに備え、
前記負荷は、前記基地局におけるユーザ機器の量に関連するＣ４７に記載の方法。
［Ｃ５１］
前記基地局およびユーザ機器に関連付けられた遅延に基づいて、前記利用可能なランダム・アクセス・リソース数を調節することをさらに備えるＣ４７に記載の方法。
［Ｃ５２］
前記遅延を増加させる、前記利用可能なランダム・アクセス・リソース数を増加させることをさらに備えるＣ５１に記載の方法。
［Ｃ５３］
前記遅延を減少させる、前記利用可能なランダム・アクセス・リソース数を減少させることをさらに備えるＣ５１に記載の方法。
［Ｃ５４］
定義された遅延量を維持するために、増加または減少のうちの少なくとも１つによって、前記利用可能なランダム・アクセス・リソース数を管理することをさらに備えるＣ５１に記載の方法。
［Ｃ５５］
前記基地局の負荷に関連する履歴データの一部に基づいて、前記利用可能なランダム・アクセス・リソース数を設定することをさらに備えるＣ４７に記載の方法。
［Ｃ５６］
前記履歴データの一部は、設定された期間において前記基地局を利用しているユーザ機器の数に関連するＣ５５に記載の方法。
［Ｃ５７］
第１の物理ランダム・アクセス・チャンネル（ＰＲＡＣＨ）設定と、第２の物理ランダム・アクセス・チャンネル（ＰＲＡＣＨ）設定との間で時間シフトを実施することをさらに備え、
前記第１の物理ランダム・アクセス・チャンネル（ＰＲＡＣＨ）設定は、前記ユーザ機器に関連し、前記第２のＰＲＡＣＨ設定は、別のユーザ機器に関連するＣ４７に記載の方法。
［Ｃ５８］
無線通信装置であって、
基地局のために、利用可能なランダム・アクセス・リソース数を設定し、システム情報ブロック内で利用可能なランダム・アクセス・リソース数を定義し、ユーザ機器（ＵＥ）が、前記システム情報ブロックにアクセスし、前記利用可能なランダム・アクセス・リソース数を特定可能とするように構成された少なくとも１つのプロセッサと、
前記少なくとも１つのプロセッサに接続されたメモリと
を備える無線通信装置。
［Ｃ５９］
前記基地局に関連付けられた負荷に基づいて、前記利用可能なランダム・アクセス・リソース数を設定するように構成された少なくとも１つのプロセッサをさらに備え、
前記負荷は、前記基地局におけるユーザ機器の量に関連するＣ５８に記載の無線通信装置。
［Ｃ６０］
前記基地局およびユーザ機器に関連付けられた遅延に基づいて、前記利用可能なランダム・アクセス・リソース数を調節するように構成された少なくとも１つのプロセッサをさらに備えるＣ５８に記載の無線通信装置。
［Ｃ６１］
無線通信環境内のランダム・アクセス・リソースを管理する無線通信装置であって、  基地局のために、利用可能なランダム・アクセス・リソース数を設定する手段と、
システム情報ブロック内の利用可能なランダム・アクセス・リソース数を定義する手段と、
ユーザ機器（ＵＥ）が、前記システム情報ブロックにアクセスし、前記利用可能なランダム・アクセス・リソース数を特定可能とする手段と
を備える無線通信装置。
［Ｃ６２］
前記利用可能なランダム・アクセス・リソース数を、デフォルト値として設定する手段をさらに備えるＣ６１に記載の無線通信装置。
［Ｃ６３］
前記基地局に関連付けられた負荷に基づいて、前記利用可能なランダム・アクセス・リソース数を設定する手段をさらに備え、
前記負荷は、前記基地局におけるユーザ機器の量に関連するＣ６１に記載の無線通信装置。
［Ｃ６４］
前記基地局およびユーザ機器に関連付けられた遅延に基づいて、前記利用可能なランダム・アクセス・リソース数を調節する手段をさらに備えるＣ６１に記載の無線通信装置。
［Ｃ６５］
前記遅延を増加させる利用可能なランダム・アクセス・リソース数を増加させる手段をさらに備えるＣ６４に記載の無線通信装置。
［Ｃ６６］
前記遅延を減少させる利用可能なランダム・アクセス・リソース数を減少させる手段をさらに備えるＣ６４に記載の無線通信装置。
［Ｃ６７］
定義された遅延量を維持するために、増加または減少のうちの少なくとも１つによって、前記利用可能なランダム・アクセス・リソース数を管理する手段をさらに備えるＣ６４に記載の無線通信装置。
［Ｃ６８］
前記基地局の負荷に関連する履歴データの一部に基づいて、前記利用可能なランダム・アクセス・リソース数を設定する手段をさらに備えるＣ６１に記載の無線通信装置。
［Ｃ６９］
第１の物理ランダム・アクセス・チャンネル（ＰＲＡＣＨ）設定と、第２の物理ランダム・アクセス・チャンネル（ＰＲＡＣＨ）設定との間で時間シフトを実施する手段をさらに備え、
前記第１の物理ランダム・アクセス・チャンネル（ＰＲＡＣＨ）設定は、前記ユーザ機器に関連し、前記第２のＰＲＡＣＨ設定は、別のユーザ機器に関連するＣ６４に記載の無線通信装置。
［Ｃ７０］
コンピュータ読取可能媒体を備えるコンピュータ・プログラム製品であって、
前記コンピュータ読取可能媒体は、
少なくとも１つのコンピュータに対して、基地局のために、利用可能なランダム・アクセス・リソース数を設定させるためのコードと、
少なくとも１つのコンピュータに対して、システム情報ブロック内の前記利用可能なランダム・アクセス・リソース数を定義させるためのコードと、
少なくとも１つのコンピュータに対して、ユーザ機器（ＵＥ）が、前記システム情報ブロックにアクセスし、前記利用可能なランダム・アクセス・リソース数を特定可能とするためのコードと
を備えるコンピュータ・プログラム製品。
［Ｃ７１］
少なくとも１つのコンピュータに対して、前記基地局に関連付けられた負荷に基づいて、前記利用可能なランダム・アクセス・リソース数を設定させるためのコードを備えるコンピュータ読取可能媒体をさらに備え、
前記負荷は、前記基地局におけるユーザ機器の量に関連するＣ７０に記載のコンピュータ・プログラム製品。
［Ｃ７２］
少なくとも１つのコンピュータに対して、前記基地局およびユーザ機器に関連付けられた遅延に基づいて、前記利用可能なランダム・アクセス・リソース数を調節させるためのコードを備えるコンピュータ読取可能媒体をさらに備えるＣ７０に記載のコンピュータ・プログラム製品。
【図１】
0005301672.tif 000002
【図２】
0005301672.tif 000003
【図３】
0005301672.tif 000004
【図４】
0005301672.tif 000005
【図５】
0005301672.tif 000006
【図６】
0005301672.tif 000007
【図７】
0005301672.tif 000008
【図８】
0005301672.tif 000009
【図９】
0005301672.tif 000010
【図１０】
0005301672.tif 000011
【図１１】
0005301672.tif 000012